(57)【要約】【課題】外容器内に大きさの異なる内容器を収納するにあたり、厚みの薄い或いは高さの低い内容器をがたつきを生じさせることなく収納させる。【解決手段】四側面板部１〜４、糊代部５を罫線６を介して連設し、側面上下に蓋片７内側に折り込むフラップ９，１０を連設し、フラップ９を長く形成し、その先端から付け根方向中間部に至る切込み９ａとその元端部から側端方向に至る罫線６ａとによって、厚みの薄い内容器Ｂによりできる空隙Ｓ１の幅とほぼ合致する幅の押えフラップ１１を形成し、背面板部４の開放側縁下部に、罫線６ｂを介して支持フラップ１２を、高さの低い内容器によりできる空隙Ｓ２の幅とほぼ合致する幅で側方に張出連設した。【選択図】      図２
2004276934.tif 000002
【特許請求の範囲】
【請求項１】
折曲げ用の折れ線を設けてなる組立容器であって、蓋の内側に折込むフラップに先端から付け根方向に分断した押えフラップを形成し、押えフラップを容器内方に折込み可能としてなる構成を有する折曲げ組立容器。
【請求項２】
折曲げ用の折れ線を設けてなる組立容器であって、容器内の上部乃至下部の一側部から容器内方に折込み可能な支持フラップを形成してなる構成を有する折曲げ組立容器。
【請求項３】
折曲げ用の折れ線を設けてなる組立容器であって、蓋の内側に折込むフラップに先端から付け根方向に分断した押えフラップを形成し、押えフラップを容器内方に折込み可能とするとともに、容器内の上部乃至下部の一側部から容器内方に折込み可能な支持フラップを形成してなる構成を有する折曲げ組立容器。
【発明の詳細な説明】
【０００１】
【発明の属する技術分野】
本発明は、外容器内に複数の内容器などの被収納物を収納するのに適した折曲げ組立容器に関する。
【０００２】
【従来の技術】
透明性が良好で剛性もあるＡ―ＰＥＴ（アモルファスポリエチレンテレフタレート）などのプラスチックシートに折曲げ罫線を設け、罫線を折曲して形成した組立容器が多く利用されている。この種の容器内に、複数の内容器などの被収納物を収納しようとする場合、同形のものは収納しやすいが、異なる大きさ、例えば内容器の厚みが異なる、或いは高さが異なるものなどは収納しにくく、小さい方は外容器内でがたつくことになってしまい、商品価値が低下する。
対処方法として、例えば特許文献１の如く、内容器外側に生じる空隙を埋めるべく、発泡スチロールの如き当て物を配置する方法があり、また、特許文献２の如く、蓋片の先端に折込み片を延設し、この折込み片を一側の内容器と隣接内容器間に挿入し、一側容器を保護する方法などがある。
【０００３】
【特許文献１】
特開平６−１７９４４０号公報
【特許文献２】
特開２０００−６９５６号公報
【０００４】
【発明が解決しようとする課題】
しかしながら、当て物を配置するのは外観上目障りであり、展示用としての適性に欠ける。当て物を透明プラスチックシート片とするとしても、これを外容器内に接着して固定し、被収納物との間に生じる空隙に合致させるように形成するには構成が複雑となり、製造負担が大きくなって好ましくない。
蓋片先端に折込み片を延設しても厚みや高さの相違を吸収することはできないので、被収納物のがたつきを生じさせないようにすることはできない。
本発明者は、上記問題点に着眼し、外容器内に大きさの異なる複数の内容器などの被収納物をがたつきを生じさせることなく収納できるようにした折曲げ組立容器、特にプラスチックシート組立用として好適な組立容器を提供せんとするものである。
【０００５】
【課題を解決するための手段】
上記課題を解決するために、本発明は、折曲げ用の折れ線を設けてなる組立容器であって、蓋の内側に折込むフラップに先端から付け根方向に分断した押えフラップを形成し、押えフラップを容器内方に折込み可能として折曲げ組立容器を構成したことを特徴とするものである。
また、本発明は、折曲げ用の折れ線を設けてなる組立容器であって、容器内の上部乃至下部の一側部から容器内方に折込み可能な支持フラップを形成して折曲げ組立容器を構成したことも特徴とする。支持フラップは容器内において横方向に折曲できるものとするのが好ましい。
【０００６】
さらに、本発明は、折曲げ用の折れ線を設けてなる組立容器であって、蓋の内側に折込むフラップに先端から付け根方向に分断した押えフラップを形成し、押えフラップを容器内方に折込み可能とするとともに、容器内の上部乃至下部の一側部から容器内方に折込み可能な支持フラップを形成して折曲げ組立容器を構成したこともまた特徴とするものである。支持フラップは前記同様に容器内において横方向に折曲できるものとするのが好ましい。
【０００７】
上記構成において、押えフラップは、厚みの薄い被収納物の容器内空隙部に折込まれて、被収納物を空隙側から保持し、被収納物にがたつきを生じさせない。
支持フラップは、高さの低い被収納物の容器内空隙部に折込まれて、被収納物を空隙側から保持し、被収納物にがたつきを生じさせない。
また、両フラップを併設することにより、厚み方向と高さ方向の空隙を同時に押えることができる。
【０００８】
【発明の実施の形態】
以下、本発明の一例としての実施の形態を図面によって説明する。
図１は本発明の一実施形態を示す組立容器の展開図、図２はその組立状態斜視図、図３は押えフラップ構造を示す組立容器の斜視図、図４はその平面視構造図、図５は支持フラップ構造を示す組立容器の斜視図、図６はその底面視構造図である。
【０００９】
図１は直方体箱状の組立容器を形成するためのシートであり、好ましくはプラスチックシート、例えばＡ−ＰＥＴ、ポリプロピレン、ポリエチレン、ポリカーボネート、生分解性樹脂例えばポリ乳酸、その他の単体又は複合体としてなるプラスチックシート材を加圧加工し、輪郭を打ち抜き加工して形成してある。
【００１０】
このシートは、直方体箱状の四側面を構成する正面板部１、左右側面板部２，３、背面板部４、及び糊代部５を折り曲げ用の罫線６を介して連設し、正面板部１の上下に蓋片７を、蓋片の各先端に差込み片８を罫線６を介して連設し、左右側面板部２，３の上下に蓋片内側に折り込むためのフラップ９，１０を罫線６を介して連設してあり、
【００１１】
また、左側面板部２の上下のフラップ９は、右側面板部３のフラップ１０よりも適度に長く形成するとともに、その先端から付け根方向（長さ方向）中間部に至る切込み９ａを形成し、切込み９ａの元端部から分断された一方のフラップ部分の側端方向（幅方向）に至って罫線６ａを形成して、このフラップ部分を折込み自在な押えフラップ１１となし、図２に示す如く、押えフラップ１１の幅を、外容器（本容器）Ａ内に厚みの薄い内容器（被収納物）Ｂを収納した際にできる空隙Ｓ１の幅（厚み差）とほぼ合致するものとなるように、上記切込み９ａ位置を設定して形成してあり、
【００１２】
さらに、背面板部４の開放側縁の下部（上部或いは上下部でもよい）に罫線６ｂを介して支持フラップ１２を側方に張出して連設し、この支持フラップ１２の幅を、図２に示す如く、外容器Ａ内に高さの低い内容器Ｂを収納した際にできる空隙Ｓ２の幅（高低差）とほぼ合致するように形成してなっている。
なお、上記構成においては、正背面いずれを正面としてもよく、上下を逆にし、或いは左右と上下の向きを変えて縦型を横型としてもよく、このような使用状態の変更は任意であり、本発明はこれらによって限定されるものではない。
【００１３】
上記シートは、次のようにして組立容器となり、使用することができる。
各罫線はいずれも内折される。四側面板部１〜４を箱形に折曲し、支持フラップ１２を容器内に折込んだ状態において、糊代部５を背面板部４の開放側の外側に接着して箱形となす。この箱形は二つ折り畳みの偏平体として、運搬、保管に供することができる。包装段階において、外容器Ａ内に複数個（図では２個）の内容器を収納するにあたって、厚みが薄く高さが低い内容器Ｂを収納した場合、相違分だけ、厚み方向に空隙Ｓ１が、高さ方向に空隙Ｓ２が生じるので、厚み方向の空隙Ｓ１に押えフラップ１１を罫線６ａで折込めば、押えフラップ１１がその幅縁を内容器の厚み面に当接させ、がたつきを生じさせることなく内容器Ｂを保持し、高さ方向の空隙Ｓ２に支持フラップ１２を罫線６ｂで折込めば、支持フラップ１２がその幅縁を内容器の底面に当接させ、がたつきを生じさせることなく内容器Ｂを保持し、定置させることができる。
【００１４】
上記において、四側面板部１〜４と、押えフラップ１１、指示フラップ１２との相互配置関係は任意に設定することができるが、厚みの異なる内容器を保持する押えフラップ１１を背面側に配置させるように形成するのが好ましく。内容器を正面側に明示でき、展示効果が向上する。
【００１５】
図３〜６は上記構成の一部を有した実施形態を示したものである。
図３，４は、被収納物としての内容器の１個が厚みの薄い内容器Ｃである場合の構成を示したものであり、上下のフラップ９にそれぞれ形成された押えフラップ１１を罫線６ａで空隙Ｓ１に折込むことによって、押えフラップ１１の幅方向で内容器を押えることができ、内容器Ｃが定置される。
図５，６は、内容器の１個が高さの低い内容器Ｄである場合の構成を示したものであり、一側部から横方向に延設された支持フラップ１２を罫線６ｂで空隙Ｓ２内に折込むことによって、支持フラップ１２の幅方向で内容器を保持することができ、内容器Ｄが底上げ状態で定置される。
容器を形成するシートは適度な硬さ（保形性）を有したシートとするものであるから、押えフラップ１１、支持フラップ１２ともに幅方向には十分な耐荷重性を発揮することができる。
【００１６】
【発明の効果】
上記構成によれば、１枚のシート構成により、押えフラップ乃至支持フラップを有した簡単な構成の組立容器を提供することができ、この組立容器によれば厚み乃至高さの異なる内容器などの被収納物を収納するのに簡単便利であり、被収納物の厚み方向乃至高さ方向に生じる空隙に押えフラップ乃至支持フラップを折込むだけで、空隙を押え被収納物ががたつきなく定置された組立容器を提供することができる。
【図面の簡単な説明】
【図１】本発明の一実施形態を示す組立容器の展開図である。
【図２】図１のシートの組立状態斜視図である。
【図３】押えフラップ構造を示す組立容器の斜視図である。
【図４】図３の平面視構造図である。
【図５】支持フラップ構造を示す組立容器の斜視図である。
【図６】図５の底面視構造図である。
【符号の説明】
１        正面板部
２、３    左右側面板部
４        背面板部
５        糊代部
６，６ａ，６ｂ  罫線
７        蓋片
８        差込み片
９，１０      フラップ
９ａ      切込み
１１        押えフラップ
１２        支持フラップ
Ａ        外容器
Ｂ，Ｃ，Ｄ    内容器
Ｓ１，Ｓ２    空隙
【図１】
2004276934.tif 000003
【図２】
2004276934.tif 000004
【図３】
2004276934.tif 000005
【図４】
2004276934.tif 000006
【図５】
2004276934.tif 000007
【図６】
2004276934.tif 000008